(57)【特許請求の範囲】
【請求項１】
操作面に文字、数字、又はマークが切り抜かれ、乗客が利用時に押し下げる断面ハット形状の金属製の釦部と、
この釦部の反乗客側に設けられ、前記釦部を照らす光源部と、
透光性を有する樹脂から成り、前記釦部と一体的に設けられ、文字、数字、又はマークを形成する断面ハット形状の釦レンズと、
この釦レンズの光源部側に配置される断面凸形状のベースと、
前記釦部の周囲に配設されるフェースプレートと、
前記ベースの平坦部に被着され、前記釦部及び前記釦レンズと前記ベースとの間隙を閉塞する遮光シートと
を備え、
前記遮光シートが、前記間隙よりも若干大きな厚さであって前記釦部及び前記釦レンズを前記ベースに嵌合した際、圧縮されることを特徴とするエレベータの押釦装置。
【請求項２】
前記釦レンズの立ち上がり辺に、爪部が形成されると共に、前記ベースに、前記爪部が係合する受け部が設けられることを特徴とする請求項１記載のエレベータの押釦装置。
【発明の詳細な説明】
【技術分野】
【０００１】
本発明は、エレベータの押釦装置に関する。
【背景技術】
【０００２】
従来、乗りかごに設置されるかご内操作盤や、乗場に設けられる乗場装置に実装されるエレベータの押釦装置として、いたずら等による損傷を防止するため、金属製の釦部としたものが実用化されている（例えば、特許文献１参照）。
【０００３】
そして、図７に示すように、このような従来の押釦装置１０は、操作面に文字、数字、又はマークが切り抜かれ、乗客が利用時に押し下げる断面ハット形状の金属製の釦部１０１と、この釦部１０１の反乗客側に設けられ、釦部１０１を照らす光源部を有するスイッチ体１０２と、透光性を有する樹脂から成り、釦部１０１と一体的に設けられ、文字、数字、又はマークを形成する断面ハット形状の釦レンズ１０３と、この釦レンズ１０３の光源部側に配置される断面凸形状のベース１０４と、釦部１０１の周囲に配設されるフェースプレート１０５とを備えている。なお、以下、一体化した釦部１０１と釦レンズ１０３とをキャップ体Ｃと言う。また、ベース１０４は、凸部１０４ａ及び平坦部１０４ｂを有している。
【０００４】
また、従来、各種電気機器等に使用される釦スイッチ用のキーシートとして、キーシートの上面に、遮光層を形成させ、遮光層によってキーシートの上面に照光された光を遮光し、印刷部の文字、記号、又は図形を見やすくしたものが提案されている（例えば、特許文献２参照）。
【先行技術文献】
【特許文献】
【０００５】
【特許文献１】特開平０９−４０３０８号公報
【特許文献２】特開２００５−３４７０３３号公報
【発明の概要】
【発明が解決しようとする課題】
【０００６】
ところで、前述したエレベータの押釦装置１０では、断面ハット形状のキャップ体Ｃと断面凸形状のベース１０４との密着性を高めるため、キャップ体Ｃの内径形状、すなわち釦レンズ１０３の内径形状は、ベース１０４の外形と略同一としている。しかしながら、実際には、キャップ体Ｃはベース１０４に嵌合するものであることから、完全に密着させることは難しく、図６に示すように、光源部発光時にキャップ体Ｃの周縁端とベース１０４の平坦部１０４ｂとの間隙Ａから漏れた光が、キャップ体Ｃとフェースプレート１０５との間隙Ｂから透光し、意匠性を低下するという課題があった。また、前述した後者のものは、シリコンで形成されるキーシートを対象としたものであり、金属製の釦部を有する押釦装置における遮光を実現するものではなかった。
【０００７】
本発明は、前述した従来技術における実状からなされたもので、その目的は、間隙から光が漏れることを防止することのできるエレベータの押釦装置を提供することにある。
【課題を解決するための手段】
【０００８】
前記目的を達成するために、本発明は、操作面に文字、数字、又はマークが切り抜かれ、乗客が利用時に押し下げる断面ハット形状の金属製の釦部と、この釦部の反乗客側に設けられ、前記釦部を照らす光源部と、透光性を有する樹脂から成り、前記釦部と一体的に設けられ、文字、数字、又はマークを形成する断面ハット形状の釦レンズと、この釦レンズの光源部側に配置される断面凸形状のベースと、前記釦部の周囲に配設されるフェースプレートと、前記ベースの平坦部に被着され、前記釦部及び前記釦レンズと前記ベースとの間隙を閉塞する遮光シートと、を備え、前記遮光シートが、前記間隙よりも若干大きな厚さであって前記釦部及び前記釦レンズを前記ベースに嵌合した際、圧縮されるエレベータの押釦装置を特徴としている。
【０００９】
このように構成した本発明では、ベースに被着された遮光シートにより、釦部及び釦レンズとが一体となったキャップ体とベースとの間隙を閉塞するので、この間隙から光源部の光が漏れることを防止することができる。
【発明の効果】
【００１０】
本発明によれば、遮光シートによりキャップ体とベースとの間隙を閉塞するので、この間隙から光源部からの光が漏れることを防止し、これによって、乗りかごに設置されるかご内操作盤や、乗場に設けられる乗場装置に実装されるエレベータの押釦装置の意匠性を高めることができる。
【図面の簡単な説明】
【００１１】
【図１】本発明に係るエレベータの押釦装置の第１の実施例を示す要部縦断面図である。
【図２】第１の実施例における遮光シートの平面図である。
【図３】本発明の押釦装置が適用されるエレベータ乗りかごの正面図である。
【図４】本発明に係るエレベータの押釦装置の第２の実施例を示す要部縦断面図である。
【図５】本発明に係るエレベータの押釦装置の第３の実施例を示す正面図である。
【図６】第３の実施例における要部縦断面図である。
【図７】従来のエレベータの押釦装置を示す要部縦断面図である。
【発明を実施するための形態】
【００１２】
以下、本発明に係るエレベータの押釦装置の実施例を図に基づき説明する。
【実施例１】
【００１３】
エレベータは、図３に示すように、昇降路を昇降する乗りかご１を有しており、この乗りかご１には、出入口に配置されるドア２と、ドア２に隣接する側板３に設置されるかご内操作盤４とを備えている。
【００１４】
かご内操作盤４は、乗客等により操作される押釦装置５を実装しており、この押釦装置５には、図１に示すように、操作面に文字、数字、又はマークが切り抜かれ、乗客が利用時に押し下げる断面ハット形状の金属製の釦部５１と、この釦部５１の反乗客側に設けられ、釦部５１を照らす光源部を有するスイッチ体５２と、透光性を有する樹脂から成り、釦部５１と一体的に設けられ、文字、数字、又はマークを形成する断面ハット形状の釦レンズ５３と、この釦レンズ５３の光源部側に配置される断面凸形状のベース５４と、釦部５１の周囲に配設されるフェースプレート５５とが設けられている。なお、釦部５１及び釦レンズ５３が一体となった、いわゆるキャップ体Ｃが回転することを抑止するため、ベース５４には、その上下に水平部が形成されていると共に、釦部５１及び釦レンズ５３もベース５４の水平部に対向するようにして水平部を形成してある。
【００１５】
そして、第１の実施例の押釦装置５は、特に、ベース５４に被着され、キャップ体Ｃとベース５４との間隙Ａを閉塞する遮光シート５６を備えている。遮光シート５６は、図２に示すように、ベース５４の形状に合わせて正方形の外周形状を有すると共に、ベース５４の凸部５４ａが干渉することがないように、その中央部に、凸部５４ａの外周形状と略同一形状の切り抜き穴５６ａが形成されている。
【００１６】
本実施例にあっては、遮光シート５６の切り抜き穴５６ａにベース５４の凸部５４ａを挿通し、ベース５４の平坦部５４ｂに遮光シート４６を被着する。次いで、釦部５１及び釦レンズ５３を一体化したキャップ体Ｃをベース５４に嵌合する。
【００１７】
第１の実施例によれば、ベース５４に被着された遮光シート５６によりキャップ体Ｃとベース５４との間隙Ａを閉塞するので、この間隙Ａから光源部の光が漏れることを防止することができる。これによって、かご内操作盤４に実装される押釦装置５の意匠性を高めることができる。また、遮光シート５６は、ベース５４の形状に合わせて正方形の外周形状を有すると共に、ベース５４の凸部５４ａが干渉することがないように、その中央部に、凸部５４ａの外周形状と略同一形状の切り抜き穴５６ａが形成されることで、ベース５４に遮光シート５６を被着する際に、容易に位置決めすることができ、組み立て性に優れたものとすることができる。
【実施例２】
【００１８】
次に、本発明に係るエレベータの押釦装置の第２の実施例を図４に基づき説明する。
【００１９】
第２の実施例の押釦装置６は、図４に示すように、操作面に文字、数字、又はマークが切り抜かれ、乗客が利用時に押し下げる断面ハット形状の金属製の釦部６１と、この釦部６１の反乗客側に設けられ、釦部６１を照らす光源部を有する図示しないスイッチ体と、透光性を有する樹脂から成り、釦部６１と一体的に設けられ、文字、数字、又はマークを形成する断面ハット形状の釦レンズ６３と、この釦レンズ６３の光源部側に配置される断面凸形状のベース６４と、釦部６１の周囲に配設されるフェースプレート６５とが設けられている。
【００２０】
そして、第２の実施例の押釦装置６は、特に、ベース６４に被着され、キャップ体Ｃとベース６４との間隙Ａを閉塞する遮光シート６６を備えていると共に、この遮光シート６６は、ベース６４の平坦部６４ｂ、及び凸部６４ａの立ち上がり辺６４ａ１に被着されている。
【００２１】
第２の実施例によれば、遮光シート６６を、ベース６４の平坦部６４ｂだけでなく、凸部６４ａの立ち上がり辺６４ａ１にも被着することで、遮光シート６６の厚さ寸法を前述した第１の実施例の遮光シート５６より薄くしても、光源部の光を確実に遮光し、光が漏れることを防ぐことができる。
【００２２】
次に、本発明に係るエレベータの押釦装置の第３の実施例を図５及び図６に基づき説明する。
【実施例３】
【００２３】
第３の実施例の押釦装置７は、図５及び図６に示すように、操作面に文字、数字、又はマークが切り抜かれ、乗客が利用時に押し下げる断面ハット形状の金属製の釦部７１と、この釦部７１の反乗客側に設けられ、釦部７１を照らす光源部を有する図示しないスイッチ体と、透光性を有する樹脂から成り、釦部７１と一体的に設けられ、文字、数字、又はマークを形成する断面ハット形状の釦レンズ７３と、この釦レンズ７３の光源部側に配置される断面凸形状のベース７４とが設けられている。
【００２４】
そして、特に、第３の実施例の押釦装置７は、釦レンズ７３の立ち上がり辺に、爪部７３ａが形成されると共に、ベース７４に、爪部７３ａが係合する受け部７４ｃが設けられ、かつ、ベース７４に被着され、キャップ体Ｃとベース７４との間隙Ａを閉塞する遮光シート７６を備えている。なお、遮光シート７６は、間隙Ａの間隙寸法より若干大きな厚さ寸法を有している。
【００２５】
第３の実施例にあっては、間隙Ａの間隙寸法より若干大きな厚さ寸法を有する遮光シート７６を、ベース７４の平坦部７４ｂに被着する。次いで、釦部７１及び釦レンズ７３を一体化したキャップ体Ｃをベース７４に嵌合する。このとき、釦レンズ７３の爪部７３ａをベース７４の受け部７４ｃに係合する。
【００２６】
第３の実施例によれば、間隙Ａの間隙寸法より若干大きな厚さ寸法を有する遮光シート７６とすることで、キャップ体Ｃをベース７４に嵌合した際、キャップ体Ｃで遮光シート７６を圧縮することになり、遮光シート７６を確実に所定位置に保持すると共に、キャップ体Ｃのガタツキを遮光シート７６で吸収し、操作性に優れた押釦装置７とすることができる。また、釦レンズ７３の爪部７３ａをベース７４の受け部７４ｃに係合する構造とすることで、キャップ体Ｃをベース７４により密着することができる。
【００２７】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、さらに、ある実施例の構成に他の実施例の構成を加えることも可能である。さらにまた、各実施例の構成の一部について、他の構成の追加・削除・置き換えをすることが可能である。
【符号の説明】
【００２８】
１  乗りかご
２  ドア
３  側板
４  かご内操作盤
５、６、７  押釦装置
５１、６１、７１  釦部
５２  スイッチ体
５３、６３、７３  釦レンズ
７３ａ  爪部
５４、６４、７４  ベース
５４ａ、６４ａ  凸部
５４ｂ、６４ｂ、７４ｂ  平坦部
７４ｃ  受け部
６４ａ１  立ち上がり辺
５５、６５  フェースプレート
５６、６６、７６  遮光シート
５６ａ  切り抜き穴
Ａ  間隙
Ｃ  キャップ体
【図１】
0005855527.tif 000002
【図２】
0005855527.tif 000003
【図３】
0005855527.tif 000004
【図４】
0005855527.tif 000005
【図５】
0005855527.tif 000006
【図６】
0005855527.tif 000007
【図７】
0005855527.tif 000008